(57)【要約】
【課題】　ユーザが利便に、両者を合わせて運動、使用可能な運動椅子と亜鈴の集成を提供する。
【解決手段】　ベース１０を含んで、椅子１２、亜鈴４０を具有する。支持柱１１はブロックを利用して、椅子１２を支持する。支持アーム２０は一端が枢設軸を経由して、ブロックに枢設、接続される。フレーム３０はロッド３１で、ベース１０に取り付けられるので、各種の亜鈴４０を支持可能である。フレーム３０は凹孔３３を持ち、両側のフランジ３４から形成される。各フランジ３４は多数の凹溝３６を具有し、亜鈴４０のおもり４１を収容する。亜鈴４０は多数のおもり４１を含んで、それぞれ貫通溝４２及び溝孔４３を有する。ハンドル４４の両端４５はそれぞれ案内溝４６を持ち、滑るように、プラグ８０を収容する。プラグ８０はおもり４１の貫通溝４２にスライドのように入るので、選択的に、必要な数量のおもり４１の中に貫通して設けることができる。
【選択図】　　図１
0003099716.tif 000002
【実用新案登録請求の範囲】
【請求項１】
　ベース（１０）を含んで、椅子（１２）、亜鈴（４０）を具有し、
　フレーム（３０）はベース（１０）に設置され、亜鈴（４０）はフレーム（３０）で支持されることを特徴とする運動用具。
【請求項２】
　亜鈴（４０）は多数のおもり（４１）、一本のハンドル（４４）及びプラグ（８０）を有し、必要なおもり（４１）を選択し、ハンドル（４４）にセット可能であることを特徴とする請求項１記載の運動用具。
【考案の詳細な説明】
【技術分野】
【０００１】
　本考案は、運動用具に関する。
【背景技術】
【０００２】
　一般的に、運動椅子はおもりを持ち、レールに取り付けられる。ユーザがそれを引くと、筋肉を鍛錬することができる。
【考案の開示】
【考案が解決しようとする課題】
【０００３】
　しかし、それらおもりはただ運動家に適用し、それ以外の人に適用できない。また、一般の人間は亜鈴を購入したあとで、適当な場所で収納、放置できず、散乱するように地上だけに放置する。よって、椅子に腰掛けるときに、亜鈴を取るために、椅子から離れなければならなくて、とても不便だと言える。
【０００４】
　したがって、本考案の主な目的は運動用具を提供することにある。そして、ユーザが利便に、両者を合わせて運動、使用可能で、つまり、ユーザがそれぞれ運動椅子と亜鈴を楽しむことが可能となる。
【課題を解決するための手段】
【０００５】
　上述の目的を達成するために本考案の請求項に記載の運動用具は、主に、ベースを含んで、椅子、亜鈴を具有する。フレームはベースに設置され、亜鈴はフレームで支持する。
【０００６】
　亜鈴は多数のおもり、一本のハンドル及びプラグを有し、必要なおもりを選択し、ハンドルにセットする。
【考案を実施するための最良の形態】
【０００７】
　　以下、本考案の実施例を図面に基づいて説明する。
　図１から図８に示すようには本実施例による運動用具はベース１０を含む。主に次の要素から形成される。
　支持柱１１はブロック１３を利用して、椅子１２を支持する。支持アーム２０は一端が枢設軸２１を経由して、ブロック１３に枢設、接続される。ブロック１３には、多数の孔穴１４を設け、枢設軸２１を囲繞する。支持アーム２０は延ばしユニット２２を備え、ピン２３を経由して、ブロック１３のいずれの孔穴１４に挿入されるので、調整できるように、いずれの適当な角度に、支持アーム２０を支持する。
【０００８】
　パッド２５は支持アーム２０に取り付けられ、ユーザを支持する。また、パッド２５はプレート２６を設置し、枢設軸２７を経由し、支持アーム２０に枢設、接続する。それで、パッド２５が支持アーム２０に相対的に回転可能となる。プレート２６に、多数の孔穴２８を設け、枢設軸２７を囲繞する。ピン２９を経由して、プレート２６のいずれの孔穴２８に挿入されるので、いずれの適当な角度に調整可能で、パッド２５を支持する。
【０００９】
　フレーム３０はロッド３１で、ベース１０に取り付けられるので、各種の亜鈴４０を支持可能である。フレーム３０は凹孔３３を持ち、両側のフランジ３４から形成される。各フランジ３４は多数の凹溝３６を具有し、亜鈴４０のおもり４１を収容する。フレーム３０がベース１０に相対的に適当な位置まで回転するので、ユーザは利便に亜鈴４０を取る。つまり、ユーザが自分の購入した亜鈴４０を利便にフレーム３０に放置する以外、ベース１０に相対的に回転するので、ユーザは利便に亜鈴４０を取る。図２に示すように、支持フレーム１８もベース１０又はその近所に設置され、一つ以上のフック１９があるので、重量挙げユニット又はほかのおもり９０を支持することも可能である。
【００１０】
　図１および図９から図１１に示すように、亜鈴４０は多数のおもり４１を含んで、それぞれ貫通溝４２及び溝孔４３を有する。ハンドル４４の両端４５はそれぞれ案内溝４６を持ち、滑るように、プラグ８０を収容する。プラグ８０はいずれおもり４１の貫通溝４２にスライドのように入るので、選択的に、必要な数量のおもり４１の中に貫通して設けることが可能で、必要なおもり４１をハンドル４４にセットする。セットユニット８１はプラグ８０に固定される。ロックユニット８２もスライドのように、セットユニット８１に配合する以外、スプリング８３の力で作用され、ハンドル４４の末端４５にも押されるので、必要な数量のおもり４１をハンドル４４にロックさせる。
【００１１】
　図１２、図１３に示すように、フレーム３０に、支持フレーム７０を追加することも可能である。支持フレーム７０は多数の縦ロッド７１、横ロッド７２を含んで、複数の凹入７３を構成する。それで、亜鈴４０のおもり４１を収容、配置する。勿論、図１４、図１５に示すように、支持フレーム７０は異なる構造を採用することも可能で、異なる亜鈴４０のおもり４１を収容、配置、支持可能である。
【図面の簡単な説明】
【００１２】
【図１】本考案の一実施例による運動用具を示す局部分解図である。
【図２】本考案の一実施例による運動用具の立体動作を示す説明図である。
【図３】本考案の一実施例による運動用具の立体動作を示す説明図である。
【図４】本考案の一実施例による運動用具の立体動作を示す説明図である。
【図５】本考案の一実施例による運動用具の側面動作を示す説明図である。
【図６】本考案の一実施例による運動用具の側面動作を示す説明図である。
【図７】本考案の一実施例による運動用具の側面動作を示す説明図である。
【図８】本考案の一実施例による運動用具の上視動作を示す説明図である。
【図９】本実施例により調整可能な亜鈴の立体図である。
【図１０】本実施例により調整可能な亜鈴の上視動作を示す説明図である。
【図１１】本実施例により調整可能な亜鈴の上視動作を示す説明図である。
【図１２】本考案による調整可能な亜鈴の実施を示す立体説明図（一）である。
【図１３】本考案による調整可能な亜鈴の実施を示す立体説明図（一）の局部分解図である。
【図１４】本考案による調整可能な亜鈴の実施を示す立体説明図（二）である。
【図１５】本考案による調整可能な亜鈴の実施を示す立体説明図（二）の局部分解図である。
【符号の説明】
【００１３】
　１０　ベース１０、１１　支持柱、１２　椅子、１３　ブロック、１４　孔穴、１８　支持フレーム、１９　フック、２０　支持アーム、２１　枢設軸、２２　延ばしユニット、２３　ピン、２５　パッド、２６　プレート、３０　フレーム、３１　ロッド、３３　凹穴、３４　フランジ４０　亜鈴、４１　おもり、４２　貫通穴、４３　溝穴、４４　ハンドル、４５　両端、４６　案内溝
【図１】
0003099716.tif 000003
【図２】
0003099716.tif 000004
【図３】
0003099716.tif 000005
【図４】
0003099716.tif 000006
【図５】
0003099716.tif 000007
【図６】
0003099716.tif 000008
【図７】
0003099716.tif 000009
【図８】
0003099716.tif 000010
【図９】
0003099716.tif 000011
【図１０】
0003099716.tif 000012
【図１１】
0003099716.tif 000013
【図１２】
0003099716.tif 000014
【図１３】
0003099716.tif 000015
【図１４】
0003099716.tif 000016
【図１５】
0003099716.tif 000017